(57)【要約】【課題】設計工数の大幅な増加を招くことなく、高精細な画像の表示が可能な小型電気光学装置を開発することを可能にするとともに、表示ムラを発生し難くする。【解決手段】データ線と走査線の交差に画素回路が設けられる表示部１０と、第１グループに属する画素にデータ線を介して表示階調に応じた電圧を供給する第１データ線駆動回路３２Ａと、第２グループに属する画素回路にデータ線を介して表示階調に応じた電圧を供給する第２データ線駆動回路３２Ｂと、をシリコンバックプレーン２に備え、前記第１データ線駆動回路３２Ａと前記第２データ線駆動回路３２Ｂとは、データ線の配線方向であるＹ方向に表示部１０を挟んで線対称にレイアウトされる電気光学装置、を提供する。【選択図】図１
2020042310.tif 000002
【特許請求の範囲】
【請求項１】
第１データ線と接続される第１画素回路と、第２データ線と接続される第２画素回路と、第３データ線と接続される第３画素回路と、第４データ線と接続される第４画素回路とが設けられる表示部と、
前記第１データ線および前記第２データ線に表示階調に応じた階調信号を供給する第１データ線駆動回路と、
前記第３データ線および前記第４データ線に表示階調に応じた階調信号を供給する第２データ線駆動回路と、
前記第１データ線および前記第２データ線と前記第１データ線駆動回路とを接続する第１接続部と、
前記第３データ線および前記第４データ線と前記第２データ線駆動回路とを接続する第２接続部と、を備え、
前記第１データ線駆動回路と前記第２データ線駆動回路とは、前記第１データ線の配線方向に前記表示部を挟んで配置され、前記第１データ線駆動回路を構成するトランジスターの配置と前記第２データ線駆動回路を構成するトランジスターの配置が互いに線対称であり、かつ、前記第１データ線駆動回路における配線と前記第２データ線駆動回路における配線が互いに線対称であり、
前記第１接続部のレイアウトと前記第２接続部のレイアウトとは非線対称である、
電気光学装置。
【請求項２】
前記第１データ線駆動回路に動作電圧を供給する第１電源と、
前記第２データ線駆動回路に動作電圧を供給する第２電源と、を備え、
前記第１電源と前記第２電源とは、前記第１データ線の配線方向に前記表示部を挟んで配置され、前記第１電源のレイアウトと前記第２電源のレイアウトとは線対称である、
ことを特徴とする請求項１に記載の電気光学装置。
【請求項３】
第１データ線と接続される第１画素回路と、第２データ線と接続される第２画素回路と、第３データ線と接続される第３画素回路と、第４データ線と接続される第４画素回路とが設けられる表示部と、
前記第１データ線および前記第２データ線に表示階調に応じた階調信号を供給する第１データ線駆動回路を少なくとも含む第１回路領域と、
前記第３データ線および前記第４データ線に表示階調に応じた階調信号を供給する第２データ線駆動回路を少なくとも含む第２回路領域と、
前記第１データ線および前記第２データ線と前記第１データ線駆動回路とを接続する第１接続部と、
前記第３データ線および前記第４データ線と前記第２データ線駆動回路とを接続する第２接続部と、を備え、
前記第１回路領域と前記第２回路領域とは、前記第１データ線の配線方向に前記表示部を挟んで配置され、前記第１データ線駆動回路を構成するトランジスターの配置と前記第２データ線駆動回路を構成するトランジスターの配置が互いに線対称であり、かつ、前記第１データ線駆動回路における配線と前記第２データ線駆動回路における配線が互いに線対称であり、前記第１データ線駆動回路のレイアウトと前記第２データ線駆動回路のレイアウトとは互いに線対称であり、
前記第１接続部のレイアウトと前記第２接続部のレイアウトとは非線対称である、
電気光学装置。
【請求項４】
前記第１回路領域のレイアウトと前記第２回路領域のレイアウトとは線対称である
ことを特徴とする請求項３に記載の電気光学装置。
【請求項５】
請求項１〜４の何れか１項に記載の電気光学装置、を備える電子機器。
【発明の詳細な説明】
【技術分野】
【０００１】
本発明は、電気光学装置、および電子機器に関する。
【背景技術】
【０００２】
走査線とデータ線とが交差する画素の位置に対応させてＯＬＥＤ（Organic Light-emitting Diode）などの発光素子とトランジスター等を含む画素回路をマトリクス状に配列した表示部を有する電気光学装置が一般に普及している。また、表示部の駆動制御を行う駆動回路等をシリコンバックプレーンに搭載したＳｉ−ＯＬＥＤも開発されている。表示部の駆動制御を行う駆動回路の具体例としては、表示部の垂直走査を行う走査線駆動回路と、選択された走査線に属する各画素回路の表示階調制御を行うデータ線駆動回路とが挙げられる。
【０００３】
従来、データ線駆動回路は表示部の走査線の配線方向（以下、行方向或いは左右方向）の一辺に沿って配置され、走査線駆動回路はデータ線の配線方向（以下、列方向或いは上下方向）の一辺に沿って配置されることが一般的であった。１０８０画素を超える解像度を有する高精細な電気光学装置では、表示部に配列される画素回路のピッチが小さくなる傾向にある。画素回路のピッチが小さくなると、配線ピッチ、データ線駆動回路を構成するトランジスターの配置ピッチ、表示階調に応じた階調電圧を保持する容量の配置ピッチ、および階調電圧を増幅するアンプやＤＡＣ（Digital to Analog Converter）のセルピッチが表示品質に与える影響を考慮する必要がある。さらには、階調電圧を示すデータの取り込みスピード、表示フレーム周波数等の様々な要因から、データ線駆動回路を表示部の行方向の一辺に沿って設けることが困難になる。そこで、データ線駆動回路を表示部の上下に配置し、走査線駆動回路を表示部の左右に配置する態様が提案されている（例えば、特許文献１、２参照）。
【先行技術文献】
【特許文献】
【０００４】
【特許文献１】特開２０１６−００９１１２号公報
【特許文献２】特開２００４−１１８０１５号公報
【発明の概要】
【発明が解決しようとする課題】
【０００５】
しかし、データ線駆動回路を表示部の上下に配置する態様には、上下に配置する各データ線駆動回路、データ線駆動回路の駆動制御を行うコントロール部、およびＩ／Ｏ端子のレイアウトを個別に設計をしていたのでは設計期間が長くなる、といった問題があった。また、上下に配置する各データ線駆動回路、データ線駆動回路の駆動制御を行うコントロール部、およびＩ／Ｏ端子のレイアウトを個別に設計する態様では、上下の回路の特性のずれに起因する表示ムラが発生し易くなる、といった問題もある。
【課題を解決するための手段】
【０００６】
以上の課題を解決するために本発明に係る電気光学装置は、第１データ線と接続される第１画素回路と、第２データ線と接続される第２画素回路と、第３データ線と接続される第３画素回路と、第４データ線と接続される第４画素回路とが設けられる表示部と、前記第１データ線および前記第２データ線に表示階調に応じた階調信号を供給する第１データ線駆動回路と、前記第３データ線および前記第４データ線に表示階調に応じた階調信号を供給する第２データ線駆動回路と、を備え、前記第１データ線駆動回路と前記第２データ線駆動回路とは、前記第１データ線の配線方向に前記表示部を挟んで配置され、前記第１データ線駆動回路のレイアウトと前記第２データ線駆動回路のレイアウトとは、線対称であることを特徴とする。
【０００７】
本態様によれば、表示部を挟んで上下に第１および第２データ線駆動回路が設けられるので電気光学装置の小型かつ高精細化が可能である。第１データ線駆動回路と第２データ線駆動回路は、互いに線対称なレイアウトを有するので、第１データ線駆動回路と第２データ線駆動回路とを各々別個に設計および検証する必要はなく、設計工数の大幅な増加を招くことなく、高精細な画像の表示が可能な小型電気光学装置を開発することが可能になる。加えて、本態様によれば、第１データ線駆動回路と第２データ線駆動回路とを個別に設計する必要はないので、第１データ線駆動回路と第２データ線駆動回路とで特性のズレが発生することはなく、表示ムラが発生し難い。
【０００８】
上述した電気光学装置は、前記第１データ線および前記第２データ線と前記第１データ線駆動回路とを接続する第１接続部と、前記第３データ線および前記第４データ線と前記第２データ線駆動回路とを接続する第２接続部と、を備え、前記第１接続部のレイアウトと前記第２接続部のレイアウトとは非線対称である、ことを特徴としてもよい。
【０００９】
第１画素回路および第２画素回路と第３画素回路および第４画素回路が表示部において非線対称に配置されている場合には各画素回路路へ至る配線を含めて第１データ線駆動回路と第２データ線駆動回路とを線対称なレイアウトとすることは困難である。しかし、本態様によれば、各画素回路へ至る配線の非対称性を第１接続部および第２接続部に反映させているため、第１データ線駆動回路と第２データ線駆動回路を確実に線対称なレイアウトとすることができる。
【００１０】
上述した電気光学装置は、前記第１データ線駆動回路に動作電圧を供給する第１電源と、前記第２データ線駆動回路に動作電圧を供給する第２電源と、を備え、前記第１電源と前記第２電源とは、前記第１データ線の配線方向に前記表示部を挟んで配置され、前記第１電源のレイアウトと前記第２電源のレイアウトとは線対称である、ことを特徴としてもよい。
【００１１】
本態様によれば、第１データ線駆動回路から階調信号を与えられる画素回路と第２データ線駆動回路から階調信号を与えられる画素回路が表示部において同じ列に並んでいた場合に、第１電源から当該列に至る距離と、第２電源から当該列に至る距離とが略等しくなり、表示ムラが発生し難くなる。
【００１２】
また、本発明は、電気光学装置のほか、当該電気光学装置を備える電子機器として概念することも可能である。電子機器としては、典型的にはヘッドマウント・ディスプレイ（ＨＭＤ）や電子ビューファイダーのなどの電気光学装置が挙げられる。
【図面の簡単な説明】
【００１３】
【図１】本発明に係る電気光学装置のシリコンバックプレーン２の構成例を示す図である。
【図２】第１データ線駆動回路３２Ａおよびタイミングコントロール回路３４Ａの構成例を示す図である。
【図３】第１接続部２０Ａおよび第２接続部２０Ｂの構成例を示す図である。
【図４】本発明に係るヘッドマウントディスプレイ３００の斜視図である。
【図５】本発明に係るパーソナルコンピューター４００の斜視図である。
【発明を実施するための形態】
【００１４】
以下、本発明を実施するための形態について図面を参照して説明する。ただし、各図において、各部の寸法および縮尺は、実際のものと適宜に異ならせてある。また、以下に述べる実施形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
＜Ａ．実施形態＞
図１は、本発明の一実施形態の電気光学装置のシリコンバックプレーン２の構成を示す図である。図１に示すように、シリコンバックプレーン２には、表示部１０、第１接続部２０Ａ、第２接続部２０Ｂ、第１回路領域３０Ａ，第２回路領域３０Ｂ、第１走査線駆動回路４０Ａおよび第２走査線駆動回路４０Ｂが設けられている。
【００１６】
表示部１０は、Ｙ方向の長さがＸ方向の長さよりも長い長方形状に形成されている。図１では詳細な図示を省略したが、表示部１０には、Ｙ方向に延びる３Ｎ（Ｎは２以上の自然数）本のデータ線がＸ方向に等間隔に並べて敷設されており、Ｘ方向に延びるＭ（Ｍは２以上の自然数）本の走査線がＹ方向に等間隔に並べて敷設されている。図１では、３Ｎ本のデータ線の代表として、第１データ線１４Ａ、第２データ線１４Ｂ、第３データ線１４Ｃ、および第４データ線１４Ｄの４本が図示されている。また、図１では、Ｍ本の走査線の代表として第１走査線１２Ａと第２走査線１２Ｂの２本が図示されている。表示部１０はいわゆる２Ｋ２Ｋの解像度を有し、具体的にはＮ＝１９２０、Ｍ＝２１６０である。また、表示部１０の垂直走査周波数は９０Ｈｚである。
【００１７】
表示部１０には、データ線と走査線の交差に対応させて画素回路が設けられている。表示部１０には、Ｍ本の走査線と３Ｎ本のデータ線が敷設されているのであるから、表示部１０はＭ×３Ｎ個の画素回路を有する。図１では、表示部１０が有するＭ×３Ｎ個の画素回路のうち、第１画素回路１１０Ａ、第２画素回路１１０Ｂ、第３画素回路１１０Ｃおよび第４画素回路１１０Ｄの４つが図示されている。図１に示すように、第１画素回路１１０Ａは第１走査線１２Ａと第１データ線１４Ａの交差に、第２画素回路１１０Ｂは第１走査線１２Ａと第２データ線１４Ｂの交差に、第３画素回路１１０Ｃは第１走査線１２Ａと第３データ線１４Ｃの交差に、第４画素回路１１０Ｄは第１走査線１２Ａと第４データ線１４Ｄの交差にそれぞれ設けられている。
【００１８】
図１では詳細な図示を省略したが、表示部１０の左側から３ｎ−２（ｎ＝１〜Ｎ）番目のデータ線と表示部１０の上からｍ（ｍ＝１〜Ｍ）番目の走査線の交差には発光色が赤（Ｒ）の画素回路が設けられている。表示部１０の左側から３ｎ−１（ｎ＝１〜Ｎ）番目のデータ線と表示部１０の上からｍ（ｍ＝１〜Ｍ）番目の走査線の交差には発光色が緑（Ｇ）の画素回路が設けられている。そして、表示部１０の左側から３ｎ（ｎ＝１〜Ｎ）番目のデータ線と表示部１０の上からｍ（ｍ＝１〜Ｍ）番目の走査線の交差には発光色が青（Ｂ）の画素回路が設けられている。図１における第１データ線１４Ａは３ｎ−２（ｎ＝１〜Ｎ）番目のデータ線の何れかであり、第３データ線１４Ｃは３ｎ−１（ｎ＝１〜Ｎ）番目のデータ線の何れかである。そして、第２データ線１４Ｂおよび第４データ線１４Ｄの各々は３ｎ（ｎ＝１〜Ｎ）番目のデータ線の何れかである。つまり、第１画素回路１１０Ａは発光色が赤の画素回路であり、第３画素回路１１０Ｃは発光色が緑の画素回路である。そして、第２画素回路１１０Ｂおよび第４画素回路１１０Ｄの各々は発光色が青の画素回路である。表示部１０に含まれる画素回路には、ＯＬＥＤなどの発光素子と、データ線を介して与えられる階調信号に応じた電流を当該発光素子へ供給するトランジスターとが含まれている。本実施形態では、同一行の走査線と、（３ｎ−２）番目、（３ｎ−１）番目および（３ｎ）番目の各データ線とに対応した３つの画素回路によって、カラー画像の１ドットが表現される。すなわち、本実施形態では、ＲＧＢに対応したＯＬＥＤの発光によって１ドットのカラーを加法混色で表現する構成となっている。
【００１９】
第１接続部２０Ａと第２接続部２０Ｂとは、表示部１０をＹ方向に挟むように設けられている。第１回路領域３０Ａと第２回路領域３０Ｂとは、第１接続部２０Ａ、表示部１０および第２接続部２０ＢをＹ方向に挟むように設けられている。第１走査線駆動回路４０Ａと第２走査線駆動回路４０Ｂとは、表示部１０をＸ方向に挟むように設けられている。
【００２０】
第１走査線駆動回路４０Ａは、１垂直走査期間においてＭ本の走査線のうちの奇数番目の走査線を上から順に順次選択する回路であり、第２走査線駆動回路４０Ｂは、Ｍ本の走査線のうちの偶数番目の走査線を上から順に順次選択する回路である。１垂直走査期間では、第１走査線駆動回路４０Ａと第２走査線駆動回路４０Ｂとが交互に走査線の選択を行う。図１に示すように第１走査線１２Ａは第１走査線駆動回路４０Ａに接続されており、第２走査線１２Ｂは第２走査線駆動回路４０Ｂに接続されている。つまり、第１走査線１２ＡはＭ本の走査線のうちの奇数番目の走査線の何れかであり、第２走査線１２ＢはＭ本の走査線のうちの偶数番目の走査線の何れかである。第１走査線駆動回路４０Ａおよび第２走査線駆動回路４０Ｂの構成については、従来の電気光学装置における走査線駆動回路の構成と特段に変わるところはないため、詳細な説明を省略する。本実施形態では、第１走査線駆動回路４０Ａには奇数番目の走査線が、第２走査線駆動回路４０Ｂには偶数番目の走査線が接続されていたが、この態様には限らない。例えば、各走査線を左右方向（図１におけるＸ方向）に二分割して左側の各走査線を第１走査線駆動回路４０Ａに接続する一方、右側の各走査線を第２走査線駆動回路４０Ｂに接続する態様、すなわち１行分の画素回路を第１走査線駆動回路４０Ａおよび第２走査線駆動回路４０Ｂによって左右から選択する態様であってもよい。
【００２１】
第１回路領域３０Ａには、データ線を介して表示階調に応じた階調信号を画素回路に供給する第１データ線駆動回路３２Ａと、タイミングコントロール回路３４Ａと、Ｉ／Ｏ端子３６Ａと、その他周辺回路とが配置される。第２回路領域３０Ｂには、データ線を介して表示階調に応じた階調信号を画素回路に供給する第２データ線駆動回路３２Ｂと、タイミングコントロール回路３４Ｂと、Ｉ／Ｏ端子３６Ｂと、その他周辺回路とが配置される。
【００２２】
図１では、その他周辺回路の一例として、表示部１０周辺の温度を検出する温度センサー、階調電圧発生用電源、階調電圧発生用抵抗およびバッファー、第１回路領域３０Ａ内の各回路に動作電圧を供給する内蔵電源が図示されている。第１回路領域３０Ａに配置されている内蔵電源は、第１データ線駆動回路３２Ａに動作電力を供給する第１電源であり、第２回路領域３０Ｂに配置されている内蔵電源は、第２データ線駆動回路３２Ｂに動作電力を供給する第２電源である。なお、図１では、温度センサーは「Ｔｅｍｐ」と、階調電圧発生用電源は「Ｒｅｇ」と、階調電圧発生用抵抗およびバッファーは両者をまとめて「Ｇａｍ」と、内蔵電源は「Ｐｏｗｅｒ」と表記されている。なお、温度センサーについては、第１回路領域３０Ａに配置されているものと、第２回路領域３０Ｂに配置されているものの何れか一方を使用してもよいし、または両方を使用してもよい。第１回路領域３０Ａに配置されている温度センサーと第２回路領域３０Ｂに配置されている温度センサーの両方を使用する態様としては、両センサーの検出値の平均値を表示部１０周辺の温度とする態様が考えられる。
【００２３】
第１データ線駆動回路３２Ａは、表示部１０に配列されている画素回路のうち表示色が青色の画素回路の半分と表示色が赤色の画素回路にデータ線を介して表示階調に応じた階調信号を供給する回路である。具体的には、第１データ線駆動回路３２Ａは、第１データ線１４Ａを介して第１画素回路１１０Ａに階調信号を供給するとともに、第２データ線１４Ｂを介して第２画素回路１１０Ｂへ階調信号を供給する。以下では、表示部１０に配列されている画素回路のうち表示色が青色の画素回路の半分と表示色が赤色の画素回路のグループを、第１グループと呼ぶ。第２データ線駆動回路３２Ｂは、表示部１０に配列されている画素回路のうち第１のグループとは異なる第２グループに属する画素回路（すなわち、表示色が青色の画素回路の残り半分と表示色が緑色の画素回路）にデータ線を介して表示階調に応じた階調信号を供給する回路である。第２データ線駆動回路３２Ｂは、第３データ線１４Ｃを介して第３画素回路１１０Ｃに階調信号を供給するとともに、第４データ線１４Ｄを介して第４画素回路１１０Ｄへ階調信号を供給する。
【００２４】
第１データ線駆動回路３２Ａと第２データ線駆動回路３２Ｂの構成は同じであるため、以下では、第１データ線駆動回路３２Ａについてのみ、その構成を説明する。同様にタイミングコントロール回路３４Ａとタイミングコントロール回路３４Ｂの構成も同じであるため、以下では、タイミングコントロール回路３４Ａについてのみ、その構成を説明する。
【００２５】
図２は、第１データ線駆動回路３２Ａおよびタイミングコントロール回路３４Ａの構成例を示す図である。図２に示すように、第１データ線駆動回路３２Ａは、画素の表示階調を表す階調データを取り込むデータラッチ部（図２では「ＬＡＴ」と表記）５０、階調データに応じた階調電圧を選択する階調電圧選択部（図２では、「ＤＡＣ」と表記）５２、および階調電圧選択部５２の出力電圧を増幅し階調信号として出力するアンプ部５４、を有する。アンプ部５４には、走査線方向に配列された画素回路の数に応じた数のアンプが含まれている。
【００２６】
前述したように、本実施形態の電気光学装置の垂直走査周波数は９０Ｈｚであり、Ｍ＝２１６０であるから、１水平走査期間は１÷９０÷２２００＝５μ秒である。水平走査期間の見積もりおいて２１６０ではなく２２００としたのは、ブランキング期間を４０ライン分で計算したためである。ここで、アンプ部５４に含まれる複数のアンプの各々の動作時間が５００n秒あったとすると、上記５μ秒の期間において上記各当該アンプは９回の出力が可能である。走査線方向には１９２０×３個の画素回路が配列されている。１水平走査期間において第１データ線駆動回路３２Ａにより駆動されるのは、走査線方向に配列された画素回路のうちの半分である。したがって、１９４４×３÷９÷２＝３２４個のアンプでアンプ部５４を構成し、各アンプに９回の出力を行わせればよい。なお、アンプ数の見積もりにおいて１９２０ではなく１９４４としたのは、表示規格よりも若干大きくし、９で割れる数字にしたためである。
【００２７】
タイミングコントロール回路３４Ａは、垂直同期および水平同期等の各種タイミングを制御するためのロジック回路６０、ルックアップテーブルデータ格納用ＲＯＭ６２、ルックアップテーブルロード用ＲＡＭ６４、コマンドの初期値を格納するコマンドＲＯＭ６６を有する。ロジック回路は例えばゲートアレイであり、図２では、「Ｇ／Ａ」と表記されている。同様にルックアップテーブルデータ格納用ＲＯＭは「ＬＵＴ＿ＲＯＭ」と、ルックアップテーブルロード用ＲＡＭは「ＬＵＴ＿ＲＡＭ」と、コマンドＲＯＭは「Ｃｏｍ＿ＲＯＭ」とそれぞれ表記されている。
【００２８】
ＬＵＴ＿ＲＯＭ６２には、Ｒ、Ｇ、およびＢ用の各ルックアップテーブルを示すテーブルデータが複数種類格納されている。ＬＵＴ＿ＲＡＭ６４には、ＬＵＴ＿ＲＯＭ６２に格納されている複数種のテーブルデータのうち、Ｒに対応するテーブルデータの何れかとＢに対応するテーブルデータの何れかが読み出され、ＲＧＢデータの変換の際に使用される。同様にタイミングコントロール回路３４ＢのＬＵＴ＿ＲＡＭ６４には、タイミングコントロール回路３４ＢのＬＵＴ＿ＲＯＭ６２に格納されている複数種のテーブルデータのうち、Ｇに対応するテーブルデータの何れかとＢに対応するテーブルデータの何れかが読み出され、ＲＧＢデータの変換の際に使用される。なお、タイミングコントロール回路３４ＡのＬＵＴ＿ＲＯＭ６２には、ＲおよびＢ用のテールデータのみを格納しておき、タイミングコントロール回路３４ＢのＬＵＴ＿ＲＯＭ６２には、ＧおよびＢ用のテールデータのみを格納しておいてもよい。タイミングコントロール回路３４Ａおよびタイミングコントロール回路３４Ｂの各々のＬＵＴ＿ＲＯＭ６２の格納データが異なっていても、Ｇ／Ａ６０の自動配置配線には無関係に対応できる。
【００２９】
Ｃｏｍ＿ＲＯＭ６６についても、タイミングコントロール回路３４Ａとタイミングコントロール回路３４Ｂとで格納データを異ならせてもよい。例えば、ＬＵＴ＿ＲＯＭ６２にＲ、ＧおよびＢ用のデータを格納した場合には、ＬＵＴ＿ＲＯＭ６２からのデータ選択アドレスとして、タイミングコントロール回路３４ＡのＣｏｍ＿ＲＯＭ６６とタイミングコントロール回路３４ＢのＣｏｍ＿ＲＯＭ６６とで異なるアドレスを格納させておくことで対応可能である。このように、タイミングコントロール回路３４Ａおよび３４Ｂの各々に、ＬＵＴ＿ＲＯＭ６２およびＣｏｍ＿ＲＯＭ６６を設けて置くことで、Ｒ、ＧおよびＢそれぞれの色に合わせた変更を、ロジックを変更することなく、ＲＯＭデータの変更のみで行う事ができる。ＲＯＭデータの変更は、自動配置配線やタイミングのフィードバックに影響を与えることはない。したがって、本実施形態では、自動配置配線やタイミングフィードバックの後であっても、表示部１０の表示色の調整を簡便に行うことができる。
【００３０】
図１に示すように本実施形態のシリコンバックプレーン２では、第１回路領域３０Ａにおける各回路の配置と第２回路領域３０Ｂにおける各回路の配置は、表示部１０を挟んで線対称、すなわち、データ線と直交し表示部１０を上下方向に等分する線ＡＡ´を対象軸として線対称である。また、図１では詳細な図示を省略したが、第１回路領域３０Ａにおいて各回路を構成するトランジスターの配置と第２回路領域３０Ｂにおいて各回路を構成するトランジスターの配置も線ＡＡ´を対象軸として線対称であり、第１回路領域３０Ａにおける配線と第２回路領域３０Ｂにおける配線も線ＡＡ´を対称軸として線対称である。以下では、回路配置、各回路を構成するトランジスターの配置および配線を「レイアウト」と総称する。第１回路領域３０Ａのレイアウトと第２回路領域３０Ｂのレイアウトは互いに線対称であるから、本実施形態のシリコンバックプレーン２では第１データ線駆動回路３２Ａのレイアウトと第２データ線駆動回路３２Ｂのレイアウトも互いに線対称である。第１データ線駆動回路３２Ａのレイアウトと第２データ線駆動回路３２Ｂのレイアウトが互いに線対称であるとは、第１データ線駆動回路３２Ａを構成するトランジスターの配置と第２データ線駆動回路３２Ｂを構成するトランジスターの配置が互いに線対称であり、かつ第１データ線駆動回路３２Ａにおける配線と第２データ線駆動回路３２Ｂにおける配線が互いに線対称であることを意味する。
【００３１】
図３は、第１接続部２０Ａおよび第２接続部２０Ｂの構成を示す図である。図３には、第１接続部２０Ａおよび第２接続部２０Ｂの他に、表示部１０と、第１データ線駆動回路３２Ａのアンプ部５４と第２データ線駆動回路３２Ｂのアンプ部５４とが図示されている。図３では、表示部１０を構成する画素回路のうち、表示色が赤の画素回路は「Ｒ」で、表示色が緑の画素回路は「Ｇ」で、表示色が青の画素回路は「Ｂ」でそれぞれ示されている。また、図３では、第１データ線駆動回路３２Ａのアンプ部５４には符号「５４Ａ」が付与されており、第２データ線駆動回路３２Ｂのアンプ部５４には符号「５４Ｂ」が付与されている。第１接続部２０Ａには、アンプ部５４Ａに含まれる３２４個のアンプの各々に１本ずつ接続された３２４本の配線２４と、走査線方向に並んだ画素回路の半分の各々に対応する１９２０×３÷２＝２８８０本のデータ線の各々と上記３２４本の配線２４との接続を切り替えるスイッチ２２と、が含まれている。走査線方向に並んだ画素回路の半分とは、例えば、発光色が青の画素回路の半分と発光色が赤の画素回路である。
同様に、第２接続部２０Ｂには、アンプ部５４Ｂに含まれる３２４個のアンプの各々に１本ずつ接続された３２４本の配線２４と、走査線方向に並んだ画素回路の半分の各々に対応する２８８０本のデータ線の各々と上記３２４本の配線２４との接続を切り替えるスイッチ２２と、が含まれている。走査線方向に並んだ画素回路の半分とは、例えば、発光色が青の画素回路の残り半分と発光色が緑の画素回路である。前述したように第１データ線駆動回路３２Ａのレイアウトと第２データ線駆動回路３２Ｂのレイアウトは線対称である。このため、図３に示すように、アンプ部５４Ａのレイアウトとアンプ部５４Ｂのレイアウトも線対称である。一方、図３に示すように、第１接続部２０Ａにおける各スイッチの配置および各スイッチからの配線の引き出し方と第２接続部２０Ｂにおける各スイッチの配置および各スイッチからの配線の引き出し方とは互いに線対称ではない。つまり、第１接続部２０Ａのレイアウトと第２接続部２０Ｂのレイアウトは、表示部１０を挟んで互いに線対称ではなく、非線対称である。第１接続部２０Ａのレイアウトと第２接続部２０Ｂのレイアウトを非線対称とした理由は次の通りである。
【００３２】
第１データ線駆動回路３２Ａにより駆動される画素回路と第２データ線駆動回路３２Ｂにより駆動される画素回路は互いに異なるグループに属し、第１グループに属する画素回路と第２グループに属する画素回路の表示部１０における配置は線ＡＡ´に対して線対称ではない。このため、第１接続部２０Ａおよび第２接続部２０Ｂを設けないとしたならば、画素回路へ至る配線を含めて第１回路領域３０Ａと第２回路領域３０Ｂとを線対称なレイアウトとすることは困難であり、第１データ線駆動回路３２Ａと第２データ線駆動回路３２Ｂを互いに線対称なレイアウトとすることも困難である。本実施形態では、画素回路へ至る配線の非対称性を第１接続部２０Ａおよび第２接続部２０Ｂに反映させているため、第１回路領域３０Ａと第２回路領域３０Ｂを線対称なレイアウトとすることができ、第１データ線駆動回路３２Ａと第２データ線駆動回路３２Ｂを互いに線対称なレイアウトとすることが可能となっている。これが、第１接続部２０Ａのレイアウトと第２接続部２０Ｂのレイアウトを非線対称とした理由である。
【００３３】
本実施形態では、第１回路領域３０Ａと第２回路領域３０Ｂのレイアウトは互いに線対称であるから、第１回路領域３０Ａと第２回路領域３０Ｂの各々について別箇にレイアウトを作成する必要はなく、第１回路領域３０Ａと第２回路領域３０Ｂについてレイアウトを１つだけ作成すればよい。このため、高精細な画像の表示が可能な小型電気光学装置のシリコンバックプレーン２を、従来のシリコンバックプレーンと同じ工数で作成することが可能になる。また、タイミングコントロール回路３４Ａ或いは３４Ｂにおける各種タイミングの設定も第１回路領域３０Ａと第２回路領域３０Ｂで個別に行う必要はない。さらに、自動配置配線による配線容量影響によりタイミング調整およびレイアウトへのフィードバックが必要となる場合であっても、そのフィードバックに要する工数、テスト検証工数は、従来と同じように１つの回路領域分だけで済み、設計工数が大幅に増加することはない。
【００３４】
本実施形態のように、表示部１０をＹ方向に挟んでＩ／Ｏ端子を線対称に配置すると、各Ｉ／Ｏ端子に接続するＦＰＣを別箇に、すなわち２種類のＦＰＣを作成することが必要となる。ＦＰＣ（Flexible Printed Circuits）を２種類作成するといった手間を省くために、第１回路領域３０Ａと第２回路領域３０Ｂとを点対称に配置することが考えられる。しかし、このような点対称配置では、１つの列に着目したときに、発光色が赤色の画素から第１電源までの距離と、当該画素とともに１ドットを形成する発光色が緑色の画素から第２電源までの距離と、が異なることとなり、表示ムラが発生し易くなることが想定される。したがって、本実施形態のように、第１回路領域３０Ａにおける内蔵電源と第２回路領域３０Ｂにおける内蔵電源とを、データ線の配線方向に表示部１０を挟み、かつ走査線の配線方向の一端に寄せて互いに線対称にレイアウトする方が好ましい。
【００３５】
以上説明したように本実施形態によれば、設計工数の大幅な増加を招くことなく、高精細な画像の表示が可能で、かつ表示ムラの発生し難い小型電気光学装置を開発することが可能になる。
【００３６】
＜Ｂ．変形例＞
以上本発明の一実施形態について説明したが、この実施形態に以下の変形を加えてもよい。すなわち、上記実施形態では、第１回路領域３０Ａと第２回路領域３０Ｂを互いに線対称なレイアウトとしたが、少なくとも第１データ線駆動回路３２Ａと第２データ線駆動回路３２Ｂとが互いに線対称なレイアウトを有していればよい。前述したように、第１データ線駆動回路３２Ａに動作電圧を供給する第１電源（すなわち、第１回路領域３０Ａに配置される内蔵電源）と、第２データ線駆動回路３２Ｂに動作電圧を供給する第２電源（すなわち、第２回路領域３０Ｂに配置される内蔵電源）とを点対称に配置すると表示ムラが発生し易くなると考えられる。しかし、このような表示ムラの低減よりも、ＦＰＣの作成工数の削減が優先される場合には第１電源と第２電源を点対称に配置してもよい。また、上記実施形態ではＯＬＥＤを用いた電気光学装置への適用例を説明したが、液晶を用いた電気光学装置に本発明を適用してもよい。
【００３７】
＜Ｃ．応用例＞
上述した実施形態に係る電気光学装置は、各種の電子機器に適用することができ、特に２Ｋ２Ｋ以上の高精細な画像の表示を要求され、かつ小型であることを要求される電子機器に好適である。以下、本発明に係る電子機器について説明する。
【００３８】
図４は本発明の電気光学装置１を採用した電子機器としてのヘッドマウントディスプレイ３００の外観を示す斜視図である。図４に示されるように、ヘッドマウントディスプレイ３００は、テンプル３１０、ブリッジ３２０、投射光学系３０１Ｌ、および、投射光学系３０１Ｒを備える。そして、図４において、投射光学系３０１Ｌの奥には左眼用の電気光学装置（図示省略）が設けられ、投射光学系３０１Ｒの奥には右眼用の電気光学装置（図示省略）が設けられる。
【００３９】
図５は、本発明に係る電気光学装置１を採用した可搬型のパーソナルコンピューター４００の斜視図である。パーソナルコンピューター４００は、各種の画像を表示する電気光学装置１と、電源スイッチ４０１およびキーボード４０２が設けられた本体部４０３と、を備える。なお、本発明に係る電気光学装置１が適用される電子機器としては、図４および図５に例示した機器のほか、携帯電話機、スマートフォン、携帯情報端末（ＰＤＡ：Personal Digital Assistants）、デジタルスチルカメラ、ビデオカメラが挙げられる。他にも、本発明に係る電気光学装置が適用される電子機器としては、テレビ、カーナビゲーション装置、車載用の表示器（インパネ）、電子手帳、電子ペーパー、電卓、ワードプロセッサー、ワークステーション、テレビ電話、ＰＯＳ端末等が挙げられる。さらに、本発明に係る電気光学装置は、プリンター、スキャナー、複写機、および、ビデオプレーヤー等の電子機器に設けられる表示部として適用することができる。
【符号の説明】
【００４０】
１…電気光学装置、２…シリコンバックプレーン、１０…表示部、１２Ａ…第１走査線、１２Ｂ…第２走査線、１４Ａ…第１データ線、１４Ｂ…第２データ線、１４Ｃ…第３データ線、１４Ｄ…第４データ線、２０Ａ…第１接続部、２０Ｂ…第２接続部、２２…スイッチ、２４…配線、３０Ａ…第１回路領域、３０Ｂ…第２回路領域、４０Ａ…第１走査線駆動回路、４０Ｂ…第２走査線駆動回路、３２Ａ…第１データ線駆動回路、３２Ｂ…第２データ線駆動回路、３４Ａ、３４Ｂ…タイミングコントロール回路、３６Ａ、３６Ｂ…Ｉ／Ｏ端子、５０…ＬＡＴ、５２…ＤＡＣ、５４…アンプ部、６０…Ｇ／Ａ、６２…ＬＵＴ＿ＲＯＭ、６４…ＬＵＴ＿ＲＡＭ、６６…Ｃｏｍ＿ＲＯＭ、３００…ヘッドマウントディスプレイ、３１０…テンプル、３２０…ブリッジ、３０１Ｌ…投射光学系、３０１Ｒ…投射光学系、４００…パーソナルコンピューター、４０１…電源スイッチ、４０２…キーボード、４０３…本体部。
【図１】
2020042310.tif 000003
【図２】
2020042310.tif 000004
【図３】
2020042310.tif 000005
【図４】
2020042310.tif 000006
【図５】
2020042310.tif 000007